(57)【要約】  【課題】  自動車の使用状況を正確に監視する自動車監視システムを提供する。  【解決手段】  自動車の使用状況を監視する自動車監視システムであって、自動車４０に設置されている車載端末３０と、車載端末３０との通信手段を有する自動車監視装置２０とを備え、車載端末３０は、自動車４０の使用量の送信要求を自動車監視装置２０から受信する要求受信部と、自動車の使用量を取得する使用量取得部と、送信要求を受信すると、取得した使用量を示す情報を自動車監視装置に送信する使用量送信部とを有し、自動車監視装置２０は、車載端末３０を識別する車載端末識別情報を格納する車載端末情報格納部と、車載端末識別情報により特定される車載端末に定期的に送信する要求送信部と、要求送信部が送信要求を送信した車載端末から使用量を受信する受信部とを有する。【選択図】  図１
2005149526.tif 000002
【特許請求の範囲】
【請求項１】
自動車に設置されている車載端末との通信手段を有する自動車監視装置であって、
前記車載端末を識別する車載端末識別情報を格納する車載端末情報格納部と、
前記車載端末の所有者が所持する所有者端末を識別する情報を、前記車載端末識別情報に対応付けて格納するユーザデータベースと、
前記自動車の使用量の送信要求を、前記車載端末情報格納部に格納されている前記車載端末識別情報により特定される前記車載端末に定期的に送信する要求送信部と、
前記要求送信部が前記送信要求を送信した前記車載端末から前記使用量を受信する受信部と、
前記受信部が受信した前記使用量に基づいて、前記車載端末に対応する保険料を算出する保険料算出部と、
当該自動車監視装置の管理者が、料金を前記車載端末に対応する前記保険料として、前記車載端末の所有者から予め受け取った場合に、前記料金の金額を前記車載端末識別情報に対応付けて格納する金額格納部と、
前記金額格納部に格納されている前記金額と、前記保険料算出部が算出した前記保険料との差額が所定金額より低額であるか否かを判断する金額判断部と、
前記金額格納部に格納されている前記金額と、前記保険料算出部が算出した前記保険料との差額が所定金額より低額であると前記金額判断部が判断した場合に、前記金額格納部に格納されている前記金額と、前記保険料算出部が算出した前記保険料との差額が所定金額より低額である旨を示す通知情報を、前記ユーザデータベースにおいて前記車載端末に対応付けられている前記所有者端末に送信する通知送信部と
を備えることを特徴とする自動車監視装置。
【請求項２】
前記受信部は、前記車載端末の位置を示す位置情報を、前記使用量とともに前記車載端末から受信し、
前記保険料算出部は、前記受信部が受信した前記使用量と前記位置情報に基づいて、前記車載端末に対応する保険料を算出することを特徴とする請求項１に記載の自動車監視装置。
【請求項３】
前記受信部は、ＧＰＳ情報を前記位置情報として、前記車載端末から受信することを特徴とする請求項２に記載の自動車監視装置。
【請求項４】
前記保険料算出部が過去に算出した前記保険料に基づいて、前記所定料金を算出する所定料金算出部をさらに備え、
前記金額判断部は、前記金額格納部に格納されている前記金額と、前記保険料算出部が新たに算出した保険料との差額が、前記所定料金算出部が算出した前記所定料金より低額であるか否かを判断することを特徴とする請求項１に記載の自動車監視装置。
【請求項５】
前記受信部は、ＧＰＳ情報を前記使用量として、前記車載端末から受信し、
前記受信部が受信した前記ＧＰＳ情報を用いて、前記自動車の走行距離を算出する走行距離算出部をさらに備えることを特徴とする請求項１に記載の自動車監視装置。
【請求項６】
自動車の使用状況を監視する自動車監視システムであって、
自動車に設置されている車載端末と、
前記車載端末との通信手段を有する自動車監視装置と
を備え、
前記車載端末は、
前記自動車の使用量の送信要求を前記自動車監視装置から受信する要求受信部と、
前記自動車の使用量を取得する使用量取得部と、
前記要求受信部が前記送信要求を受信すると、前記使用量取得部が取得した前記使用量を示す情報を前記自動車監視装置に送信する使用量送信部と
を有し、
前記自動車監視装置は、
前記車載端末を識別する車載端末識別情報を格納する車載端末情報格納部と、
前記車載端末の所有者が所持する所有者端末を識別する情報を、前記車載端末識別情報に対応付けて格納するユーザデータベースと、
前記自動車の使用量の送信要求を、前記車載端末情報格納部に格納されている前記車載端末識別情報により特定される前記車載端末に定期的に送信する要求送信部と、
前記要求送信部が前記送信要求を送信した前記車載端末から前記使用量を受信する受信部と、
前記受信部が受信した前記使用量に基づいて、前記車載端末に対応する保険料を算出する保険料算出部と、
当該自動車監視装置の管理者が、料金を前記車載端末に対応する前記保険料として、前記車載端末の所有者から予め受け取った場合に、前記料金の金額を前記車載端末識別情報に対応付けて格納する金額格納部と、
前記金額格納部に格納されている前記金額と、前記保険料算出部が算出した前記保険料との差額が所定金額より低額であるか否かを判断する金額判断部と、
前記金額格納部に格納されている前記金額と、前記保険料算出部が算出した前記保険料との差額が所定金額より低額であると前記金額判断部が判断した場合に、前記金額格納部に格納されている前記金額と、前記保険料算出部が算出した前記保険料との差額が所定金額より低額である旨を示す通知情報を、前記ユーザデータベースにおいて前記車載端末に対応付けられている前記所有者端末に送信する通知送信部と
を有することを特徴とする自動車監視システム。
【請求項７】
自動車の使用状況を監視する自動車監視装置との通信手段を有する自動車の使用量取得方法であって、
前記車載端末を識別する車載端末識別情報を車載端末情報格納部に格納し、
前記車載端末の所有者が所持する所有者端末を識別する情報を、前記車載端末識別情報に対応付けてユーザデータベースに格納し、
前記自動車の使用量の送信要求を、前記車載端末情報格納部に格納されている前記車載端末識別情報により特定される前記車載端末に定期的に送信し、
前記送信要求を送信した前記車載端末から前記使用量を受信し、
受信した前記使用量に基づいて、前記車載端末に対応する保険料を算出し、
当該自動車監視装置の管理者が、料金を前記車載端末に対応する前記保険料として、前記車載端末の所有者から予め受け取った場合に、前記料金の金額を前記車載端末識別情報に対応付けて金額格納部に格納し、
前記金額格納部に格納されている前記金額と、前記算出した前記保険料との差額が所定金額より低額であるか否かを判断し、
前記金額格納部に格納されている前記金額と、前記算出した前記保険料との差額が所定金額より低額であると判断した場合に、前記金額格納部に格納されている前記金額と、前記算出した前記保険料との差額が所定金額より低額である旨を示す通知情報を、前記ユーザデータベースにおいて前記車載端末に対応付けられている前記所有者端末に送信する
ことを特徴とする使用量取得方法。
【請求項８】
自動車の使用状況を監視する自動車監視装置との通信手段を有するコンピュータ用のプログラムであって、前記コンピュータに、
前記車載端末を識別する車載端末識別情報を格納する車載端末情報格納機能、
前記車載端末の所有者が所持する所有者端末を識別する情報を、前記車載端末識別情報に対応付けて格納するユーザデータベース機能、
前記自動車の使用量の送信要求を、前記車載端末情報格納部に格納されている前記車載端末識別情報により特定される前記車載端末に定期的に送信する要求送信機能、
前記要求送信機能が前記送信要求を送信した前記車載端末から前記使用量を受信する受信機能、
前記受信機能が受信した前記使用量に基づいて、前記車載端末に対応する保険料を算出する保険料算出機能、
当該自動車監視装置の管理者が、料金を前記車載端末に対応する前記保険料として、前記車載端末の所有者から予め受け取った場合に、前記料金の金額を前記車載端末識別情報に対応付けて格納する金額格納機能、
前記金額格納機能に格納されている前記金額と、前記保険料算出機能が算出した前記保険料との差額が所定金額より低額であるか否かを判断する金額判断機能、及び、
前記金額格納機能に格納されている前記金額と、前記保険料算出機能が算出した前記保険料との差額が所定金額より低額であると前記金額判断機能が判断した場合に、前記金額格納機能に格納されている前記金額と、前記保険料算出機能が算出した前記保険料との差額が所定金額より低額である旨を示す通知情報を、前記ユーザデータベース機能において前記車載端末に対応付けられている前記所有者端末に送信する通知送信機能
を実現させるためのプログラム。
【発明の詳細な説明】
【技術分野】
【０００１】
本発明は、自動車監視装置、自動車監視システム、使用量取得方法、及びプログラムに関する。特に本発明は、自動車の使用状況を監視する自動車監視装置、自動車監視システム、使用量取得方法、及びプログラムに関する。
【背景技術】
【０００２】
従来、自動車の使用状況を監視するシステムが開示されている。例えば特許文献１は、実際に運転に使われた時間をカウントし、これに基づき保険料を算定するシステムを開示している。また特許文献２は、操作者及び自動車の運転特性を示すデータの監視、記録、及び通信に基づいて自動車保険料を決定する方法及びシステムが開示されている。
【特許文献１】特開２００１−２７３４０１号公報
【特許文献２】特表平１１−５１１５８１号公報
【発明の開示】
【発明が解決しようとする課題】
【０００３】
しかし、従来開示されているシステムでは、正確な運転時間を確認できない可能性がある。
【０００４】
そこで本発明は、上記の課題を解決することのできる自動車監視装置、車載端末、自動車監視システム、自動車監視方法、使用量取得方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
即ち、本発明の第１の形態によると、自動車に設置されている車載端末との通信手段を有する自動車監視装置であって、車載端末を識別する車載端末識別情報を格納する車載端末情報格納部と、車載端末の所有者が所持する所有者端末を識別する情報を、車載端末識別情報に対応付けて格納するユーザデータベースと、自動車の使用量の送信要求を、車載端末情報格納部に格納されている車載端末識別情報により特定される車載端末に定期的に送信する要求送信部と、要求送信部が送信要求を送信した車載端末から使用量を受信する受信部と、受信部が受信した使用量に基づいて、車載端末に対応する保険料を算出する保険料算出部と、当該自動車監視装置の管理者が、料金を車載端末に対応する保険料として、車載端末の所有者から予め受け取った場合に、料金の金額を車載端末識別情報に対応付けて格納する金額格納部と、金額格納部に格納されている金額と、保険料算出部が算出した保険料との差額が所定金額より低額であるか否かを判断する金額判断部と、金額格納部に格納されている金額と、保険料算出部が算出した保険料との差額が所定金額より低額であると金額判断部が判断した場合に、金額格納部に格納されている金額と、保険料算出部が算出した保険料との差額が所定金額より低額である旨を示す通知情報を、ユーザデータベースにおいて車載端末に対応付けられている所有者端末に送信する通知送信部とを備える。
【０００６】
上記自動車監視装置において、受信部は、車載端末の位置を示す位置情報を、使用量とともに車載端末から受信し、保険料算出部は、受信部が受信した使用量と位置情報に基づいて、車載端末に対応する保険料を算出してもよい。
【０００７】
上記自動車監視装置において、受信部は、ＧＰＳ情報を位置情報として、車載端末から受信してもよい。
【０００８】
上記自動車監視装置において、保険料算出部が過去に算出した保険料に基づいて、所定料金を算出する所定料金算出部をさらに備え、金額判断部は、金額格納部に格納されている金額と、保険料算出部が新たに算出した保険料との差額が、所定料金算出部が算出した所定料金より低額であるか否かを判断してもよい。
【０００９】
上記自動車監視装置において、受信部は、ＧＰＳ情報を使用量として、車載端末から受信し、受信部が受信したＧＰＳ情報を用いて、自動車の走行距離を算出する走行距離算出部をさらに備えてもよい。
【００１０】
本発明の第２の形態によると、自動車の使用状況を監視する自動車監視システムであって、自動車に設置されている車載端末と、車載端末との通信手段を有する自動車監視装置とを備え、車載端末は、自動車の使用量の送信要求を自動車監視装置から受信する要求受信部と、自動車の使用量を取得する使用量取得部と、要求受信部が送信要求を受信すると、使用量取得部が取得した使用量を示す情報を自動車監視装置に送信する使用量送信部とを有し、自動車監視装置は、車載端末を識別する車載端末識別情報を格納する車載端末情報格納部と、車載端末の所有者が所持する所有者端末を識別する情報を、車載端末識別情報に対応付けて格納するユーザデータベースと、自動車の使用量の送信要求を、車載端末情報格納部に格納されている車載端末識別情報により特定される車載端末に定期的に送信する要求送信部と、要求送信部が送信要求を送信した車載端末から使用量を受信する受信部と、受信部が受信した使用量に基づいて、車載端末に対応する保険料を算出する保険料算出部と、当該自動車監視装置の管理者が、料金を車載端末に対応する保険料として、車載端末の所有者から予め受け取った場合に、料金の金額を車載端末識別情報に対応付けて格納する金額格納部と、金額格納部に格納されている金額と、保険料算出部が算出した保険料との差額が所定金額より低額であるか否かを判断する金額判断部と、金額格納部に格納されている金額と、保険料算出部が算出した保険料との差額が所定金額より低額であると金額判断部が判断した場合に、金額格納部に格納されている金額と、保険料算出部が算出した保険料との差額が所定金額より低額である旨を示す通知情報を、ユーザデータベースにおいて車載端末に対応付けられている所有者端末に送信する通知送信部とを有する。
【００１１】
本発明の第３の形態によると、自動車の使用状況を監視する自動車監視装置との通信手段を有する自動車の使用量取得方法であって、車載端末を識別する車載端末識別情報を車載端末情報格納部に格納し、車載端末の所有者が所持する所有者端末を識別する情報を、車載端末識別情報に対応付けてユーザデータベースに格納し、自動車の使用量の送信要求を、車載端末情報格納部に格納されている車載端末識別情報により特定される車載端末に定期的に送信し、送信要求を送信した車載端末から使用量を受信し、受信した使用量に基づいて、車載端末に対応する保険料を算出し、当該自動車監視装置の管理者が、料金を車載端末に対応する保険料として、車載端末の所有者から予め受け取った場合に、料金の金額を車載端末識別情報に対応付けて金額格納部に格納し、金額格納部に格納されている金額と、算出した保険料との差額が所定金額より低額であるか否かを判断し、金額格納部に格納されている金額と、算出した保険料との差額が所定金額より低額であると判断した場合に、金額格納部に格納されている金額と、算出した保険料との差額が所定金額より低額である旨を示す通知情報を、ユーザデータベースにおいて車載端末に対応付けられている所有者端末に送信する。
【００１２】
自動車の使用状況を監視する自動車監視装置との通信手段を有するコンピュータ用のプログラムであって、コンピュータに、車載端末を識別する車載端末識別情報を格納する車載端末情報格納機能、車載端末の所有者が所持する所有者端末を識別する情報を、車載端末識別情報に対応付けて格納するユーザデータベース機能、自動車の使用量の送信要求を、車載端末情報格納部に格納されている車載端末識別情報により特定される車載端末に定期的に送信する要求送信機能、要求送信機能が送信要求を送信した車載端末から使用量を受信する受信機能、受信機能が受信した使用量に基づいて、車載端末に対応する保険料を算出する保険料算出機能、当該自動車監視装置の管理者が、料金を車載端末に対応する保険料として、車載端末の所有者から予め受け取った場合に、料金の金額を車載端末識別情報に対応付けて格納する金額格納機能、金額格納機能に格納されている金額と、保険料算出機能が算出した保険料との差額が所定金額より低額であるか否かを判断する金額判断機能、及び、金額格納機能に格納されている金額と、保険料算出機能が算出した保険料との差額が所定金額より低額であると金額判断機能が判断した場合に、金額格納機能に格納されている金額と、保険料算出機能が算出した保険料との差額が所定金額より低額である旨を示す通知情報を、ユーザデータベース機能において車載端末に対応付けられている所有者端末に送信する通知送信機能を実現させる。
【００１３】
なお上記の発明の概要は、本発明の必要な特徴の全てを列挙したものではなく、これらの特徴群のサブコンビネーションも又発明となりうる。
【発明の効果】
【００１４】
上記説明から明らかなように、本発明によれば自動車の使用量に応じて、暫定保険料よりも累積保険料が超えそうな場合にその旨をユーザに通知することができる。
【発明を実施するための最良の形態】
【００１５】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１６】
図１は、本実施の形態に係る自動車監視システム全体の概略を示す。自動車監視システムは、ネットワーク１０と、自動車監視装置２０と、車載端末３０と、所有者端末５０とを備える。自動車監視装置２０は、ネットワーク１０を介して車載端末３０及び所有者端末５０と通信する。ここでネットワーク１０は、有線通信網、無線通信網、またはこれらの組み合わせであり、インターネット、ＰＳＴＮ（公衆交換電話網）、ＬＡＮ、ＷＡＮ等を含む。また所有者端末５０は、所有者が利用する端末の一例であり、携帯電話の他に、ＰＤＡ（携帯情報端末）、パーソナルコンピュータ等の通信可能な端末であればよい。車載端末３０は、自動車４０に取り付けられる。
【００１７】
自動車監視装置２０は、自動車４０の走行距離を車載端末３０から受信し、受信した走行距離に対応する自動車４０の保険料を算出する。また自動車監視装置２０は、車載端末３０に関する情報を所有者端末５０に送信する。ここで自動車監視装置２０は、自動車４０の使用量の一例として走行距離を受信しているが、これに代えて他の例としては、走行時間、または走行時間と走行距離との組合せでもよい。
【００１８】
図２は、自動車監視装置２０の機能構成を示すブロック図である。自動車監視装置２０は、通知送信部２００と、受信部２０２と、要求送信部２０４と、時間判断部２０６と、受信判断部２０８と、所定期間判断部２１０と、使用量判断部２１２と、保険料算出部２１４と、金額判断部２１６と、ユーザデータベース２２０と、車載端末データベース２２２と、使用量データベース２２４と、金額データベース２２６とを有する。
【００１９】
ユーザデータベース２２０は、車載端末３０の所有者が所持する所有者端末５０のメールアドレスを、車載端末３０を識別する車載端末識別情報に対応付けて格納する。ここで所有者端末５０のメールアドレスは、所有者端末５０を識別する情報の一例である。所有者端末５０を識別する情報の一例としては、メールアドレスの他に、ＦＡＸ番号や電話番号でもよい。車載端末データベース２２２は、車載端末３０が起動しているか否かを示す情報と、自動車監視装置２０が走行距離の送信要求を送信した時刻を、車載端末識別情報に対応付けて格納する。使用量データベース２２４は、自動車４０の走行距離及び位置を示す位置情報と、自動車監視装置２０が走行距離及び位置情報を受信した受信時刻を、車載端末識別情報に対応付けて格納する。金額データベース２２６は、自動車監視装置２０の管理者が車載端末３０の所有者から予め受け取った暫定保険料を示す情報と、自動車監視装置２０が自動車４０の走行距離から算出した保険料を示す情報を、車載端末識別情報に対応付けて格納する。
【００２０】
起動情報受信部２０３は、車載端末３０が起動した旨を示す起動情報を、車載端末３０を識別する車載端末識別情報とともに車載端末３０から受信し、要求送信部２０４に送る。取付情報受信部２０５は、車載端末３０が自動車４０に取り付けられていない旨を示す取付情報を車載端末３０から受信し、通知送信部２００に送る。また取付情報受信部２０５は、車載端末３０が自動車４０に取り付けられていない旨を示す取付情報を車載端末データベース２２２に格納する。
【００２１】
通知送信部２００は、取付情報受信部２０５から受け取った車載端末識別情報に対応付けて格納されているメールアドレスをユーザデータベース２２０から抽出する。次に通知送信部２００は、取付情報受信部２０５から受け取った通知情報を、ユーザデータベース２２０から抽出したメールアドレスに送信する。
【００２２】
要求送信部２０４は、起動情報受信部２０３から受け取った起動情報を、起動情報受信部２０３から受け取った車載端末識別情報に対応付けて車載端末データベース２２２に格納する。また要求送信部２０４は、自動車４０の走行距離の送信要求を、起動情報受信部２０３から受け取った車載端末識別情報により特定される車載端末３０に送信する。また要求送信部２０４は、走行距離の送信要求を車載端末３０に送信した時刻を示す時刻情報を車載端末識別情報に対応付けて車載端末データベース２２２に格納する。
【００２３】
時間判断部２０６は、定期的に車載端末データベース２２２を参照し、格納されている時刻情報が示す時刻から所定時間が経過したか否かを判断する。時間判断部２０６は、要求送信部２０４が送信要求を送信した時刻から所定時間が経過したと判断した場合に、時刻情報に対応付けて格納されている車載端末識別情報を車載端末データベース２２２から抽出し、時刻情報とともに受信判断部２０８に送る。
【００２４】
受信判断部２０８は、時間判断部２０６から受け取った車載端末識別情報に対応付けて格納されている受信時刻が、時間判断部２０６から受け取った時刻情報より後であるか否かを判断する。受信判断部２０８は、受信時刻が時刻情報より後ではないと判断した場合に、要求送信部２０４が送信要求を送信してから、所定時間が経過しても走行距離を受信していない旨を示す通知情報を、車載端末識別情報とともに通知送信部２００に送る。
【００２５】
通知送信部２００は、受信判断部２０８から受け取った車載端末識別情報に対応付けて格納されているメールアドレスをユーザデータベース２２０から抽出する。次に通知送信部２００は、受信判断部２０８から受け取った通知情報を、ユーザデータベース２２０から抽出したメールアドレスに送信する。
【００２６】
受信部２０２は、自動車４０の走行距離と、自動車４０の位置を示す位置情報と、自動車４０の速度の変化率とを車載端末識別情報とともに車載端末３０から受信する。次に受信部２０２は、走行距離を受信した受信時刻とともに、受信した情報である、走行距離と、位置情報と、速度の変化率と、車載端末識別情報とを使用量判断部２１２に送る。
【００２７】
使用量判断部２１２は、受信部２０２から受け取った走行距離と、位置情報と、速度の変化率と、受信時刻とを、車載端末識別情報に対応付けて使用量データベース２２４に格納する。また使用量判断部２１２は、受信部２０２から受け取った車載端末識別情報に対応付けて格納されている過去の走行距離を抽出する。次に使用量判断部２１２は、抽出した走行距離と、受信部２０２から受け取った走行距離との差が所定量以上であるか否かを判断する。使用量判断部２１２は、抽出した走行距離と、受信部２０２から受け取った走行距離との差が所定量以上であると判断した場合に、その旨を示す差情報を車載端末識別情報に対応付けて使用量データベース２２４に格納する。
【００２８】
また使用量判断部２１２は、車載端末識別情報を所定期間判断部２１０に送る。また使用量判断部２１２は、受信部２０２から受け取った走行距離と、使用量データベース２２４に既に格納されている走行距離とを用いて累積走行距離を算出して、算出した累積走行距離を、車載端末識別情報に対応付けて使用量データベース２２４に格納する。また使用量判断部２１２は、受信部２０２から受け取った走行距離と、位置情報と、速度の変化率と、車載端末識別情報とを保険料算出部２１４に送る。
【００２９】
所定期間判断部２１０は、使用量判断部２１２から受け取った車載端末識別情報に対応付けて格納されている差情報を用いて、単位期間あたりの走行距離の差が所定量以上である期間が所定期間以上であるか否かを判断する。次に所定期間判断部２１０は、単位期間あたりの走行距離の差が所定量以上である期間が所定期間以上であると判断した場合に、その旨を示す通知情報を車載端末識別情報とともに通知送信部２００に送る。
【００３０】
通知送信部２００は、所定期間判断部２１０から受け取った車載端末識別情報に対応付けて格納されているメールアドレスをユーザデータベース２２０から抽出する。次に通知送信部２００は、所定期間判断部２１０から受け取った通知情報を、ユーザデータベース２２０から抽出したメールアドレスに送信する。
【００３１】
保険料算出部２１４は、使用量判断部２１２から受け取った車載端末識別情報に対応付けて格納されている保険タイプを金額データベース２２６から抽出する。保険料算出部２１４は、使用量判断部２１２から受け取った走行距離と、位置情報と、速度の変化率と、抽出した保険タイプを用いて保険料を算出する。保険料算出部２１４は、算出した保険料を、金額データベース２２６に格納されている過去の累積保険料に加算する。保険料算出部２１４は、保険料を加算した累積保険料を車載端末識別情報に対応付けて金額データベース２２６に格納する。また保険料算出部２１４は、保険料を加算した累積保険料と、車載端末識別情報とを金額判断部２１６に送る。
【００３２】
金額判断部２１６は、保険料算出部２１４から受け取った車載端末識別情報に対応付けて格納されている暫定保険料を金額データベース２２６から抽出する。次に金額判断部２１６は、抽出した暫定保険料と、保険料算出部２１４から受け取った累積保険料との差額が所定金額より低額か否かを判断する。金額判断部２１６は、抽出した暫定保険料と、保険料算出部２１４から受け取った累積保険料との差額が所定金額より低額であると判断した場合に、その旨を示す通知情報を通知送信部２００に送る。
【００３３】
通知送信部２００は、金額判断部２１６から受け取った車載端末識別情報に対応付けて格納されているメールアドレスをユーザデータベース２２０から抽出する。次に通知送信部２００は、金額判断部２１６から受け取った通知情報を、ユーザデータベース２２０から抽出したメールアドレスに送信する。
【００３４】
図３は、車載端末３０の機能構成を示すブロック図である。車載端末３０は、要求受信部３００と、ＧＰＳ情報取得部３０２と、使用量取得部３０４と、速度取得部３０６と、使用量積算部３０８と、通信判断部３１０と、使用量送信部３１２と、変化率算出部３１４と、変化率送信部３１６と、取付判断部３１８と、取付通知情報送信部３２０と、免許証情報取得部３２２と、免許証情報判断部３２４と、車載端末起動部３２６と、起動停止部３２８と、免許証情報格納部３３０とを有する。免許証情報格納部３３０は、自動車４０を操作すべき操作者の免許証に関する免許証情報を格納する。ここで免許証情報とは、例えば免許証の登録番号等である。また本実施の形態に係る免許証は、運転免許証であるが、免許証情報は、操作者の指紋や声紋等の操作者を証明することができる情報であればよい。
【００３５】
免許証情報取得部３２２は、免許証に付与されている免許証情報を取得する。ここで免許証情報取得部３２２は、免許証に付与されている免許証情報を読み出してもよいし、操作者からの入力を免許証情報として受け付けてもよい。免許証には、バーコード等の識別情報が免許証情報として記載されていてもよいし、免許証がメモリーを内蔵するＩＣカードになっており、免許証情報が格納されていてもよい。次に免許証情報取得部３２２は、取得した免許証情報を免許証情報判断部３２４に送る。
【００３６】
免許証情報判断部３２４は、免許証情報取得部３２２から受け取った免許証情報が、免許証情報格納部３３０に格納されている免許証情報と一致するか否かを判断する。免許証情報判断部３２４は、免許証情報取得部３２２から受け取った免許証情報が、免許証情報格納部３３０に格納されている免許証情報と一致しないと判断した場合に、その旨を示す不一致情報を車載端末起動部３２６及び起動停止部３２８に送る。一方、免許証情報判断部３２４は、免許証情報取得部３２２から受け取った免許証情報が、免許証情報格納部３３０に格納されている免許証情報と一致すると判断した場合に、その旨を示す一致情報を車載端末起動部３２６に送る。
【００３７】
車載端末起動部３２６は、不一致情報を免許証情報判断部３２４から受け取ると、車載端末３０を起動させないで、起動しない旨を示す情報を表示する。一方、車載端末起動部３２６は、一致情報を免許証情報判断部３２４から受け取ると、車載端末３０を起動させる。また車載端末起動部３２６は、車載端末３０を起動させた旨を示す起動情報を自動車監視装置２０に送信する。車載端末３０が起動すると、速度取得部３０６は、自動車４０のスピード計測器が測定した自動車４０の速度の取得を開始する。
【００３８】
また車載端末３０が起動すると、取付判断部３１８は、車載端末３０が自動車４０に取り付けられているか否かを判断する。この場合取付判断部３１８としては、例えばスイッチ回路である。このような取付判断部３１８は、専用の端子が設置され、自動車４０から所定の信号を受け取る。
【００３９】
取付判断部３１８は、車載端末３０が自動車４０に取り付けられていないと判断した場合に、車載端末３０が自動車４０から取り外された旨を示す取付通知情報を取付通知情報送信部３２０に送る。取付通知情報送信部３２０は、取付判断部３１８から受け取った取付通知情報を自動車監視装置２０に送信する。
【００４０】
要求受信部３００は、走行距離の送信要求を自動車監視装置２０から受信し、使用量取得部３０４に送る。速度取得部３０６は、自動車４０のスピード計測器から取得した自動車４０の速度を継続的に使用量取得部３０４及び変化率算出部３１４に送る。ＧＰＳ情報取得部３０２は、車載端末３０の位置を示すＧＰＳ情報を取得する。ＧＰＳ情報取得部３０２は、取得したＧＰＳ情報に基づいて、自動車４０の位置を示す位置情報を作成する。ここでＧＰＳ情報取得部３０２は、自動車４０のいる地域を識別する地域情報を位置情報として使用量取得部３０４に送る。
【００４１】
使用量取得部３０４は、速度取得部３０６から受け取った速度を用いて、自動車４０の走行距離を算出する。使用量取得部３０４は、要求受信部３００から走行距離の送信要求を受け取ると、算出した走行距離を、ＧＰＳ情報取得部３０２から受け取った地域情報とともに使用量送信部３１２に送る。
【００４２】
通信判断部３１０は、車載端末３０がネットワーク１０の通信可能領域に車載端末３０があるか否かを常時判断する。使用量送信部３１２は、走行距離を受け取ると、車載端末３０が通信可能領域にあるか否かを示す通信情報を通信判断部３１０から受け取る。使用量送信部３１２は、通信判断部３１０から受け取った通信情報が、車載端末３０が通信可能領域にない旨を示す場合に、使用量取得部３０４から受け取った走行距離を使用量積算部３０８に送る。使用量積算部３０８は、使用量送信部３１２から受け取った走行距離を積算し、積算走行距離として保持する。
【００４３】
一方使用量送信部３１２は、通信判断部３１０から受け取った通信情報が、車載端末３０が通信可能領域にある旨を示す場合に、使用量取得部３０４から受け取った走行距離を、使用量積算部３０８が保持する積算走行距離に加算して、車載端末識別情報とともに自動車監視装置２０に送信する。
【００４４】
変化率算出部３１４は、速度取得部３０６から受け取った速度を用いて速度の変化率を算出し、変化率送信部３１６に送る。変化率送信部３１６は、変化率算出部３１４から受け取った速度の変化率を車載端末識別情報とともに自動車監視装置２０に送信する。
【００４５】
図４は、車載端末データベース２２２のデータフォーマットの一例である。車載端末データベース２２２は、車載端末ＩＤフィールドと、起動情報フィールドと、要求送信時刻フィールドと、取付情報フィールドとを含む。
【００４６】
車載端末ＩＤフィールドは、車載端末３０を識別する車載端末識別情報を格納する。起動情報フィールドは、車載端末３０が起動しているか否かを示す情報を格納する。ここで起動情報フィールドは、車載端末３０が起動している場合に、「起動中」という起動情報を格納する。要求送信時刻フィールドは、要求送信部２０４が走行距離の送信要求を車載端末３０に送信した時刻を示す時刻情報を格納する。取付情報フィールドは、車載端末３０が自動車４０に取り付けられているか否かを示す情報を格納する。取付情報フィールドは、車載端末３０が自動車４０に取り付けられている場合には、「取付中」と記載される。一方、車載端末３０が自動車４０に取り付けられていない場合には、取付情報受信部２０５が取付情報を取付情報フィールドに格納する。このとき取付情報フィールドは、「取り外し中」と記載される。
【００４７】
図５は、使用量データベース２２４のデータフォーマットの一例を示す。使用量データベース２２４は、車載端末ＩＤフィールドと、累積使用量フィールドと、使用量フィールドと、位置情報フィールドと、差情報フィールドと、変化率フィールドと、受信時刻フィールドとを含む。
【００４８】
車載端末ＩＤフィールドは、車載端末３０を識別する車載端末識別情報を格納する。累積使用量フィールドは、自動車監視装置２０が車載端末３０から受信した走行距離を累積した累積走行距離を格納する。使用量フィールドは、自動車監視装置２０が車載端末３０から受信した走行距離を格納する。位置情報フィールドは、車載端末３０がいる地域を識別する地域情報を格納する。ここで位置情報フィールドは、ＧＰＳ情報を格納してもよい。
【００４９】
差情報フィールドは、使用量データベース２２４に格納されている過去の走行距離と、新たに自動車監視装置２０が受信した走行距離との差が所定量以上であるか否かを示す差情報を格納する。使用量判断部２１２は、累積走行距離を用いて、単位期間あたりの走行距離を算出し、算出した走行距離を過去の走行距離とする。ここで単位期間とは、例えば要求送信部２０４が送信要求を送信してから次に送信するまでの期間である。
【００５０】
使用量判断部２１２が使用量データベース２２４に格納されている過去の走行距離と、新たに自動車監視装置２０が受信した走行距離との差が所定量以上であるか否かを判断することにより、例えば車載端末３０または自動車４０が盗難される等して、単位期間あたりの走行距離が通常と著しく異なる場合に、自動車監視装置２０は、その旨を所有者端末５０に通知することができる。
【００５１】
変化率フィールドは、自動車４０の速度の変化率を格納する。例えば自動車４０の操作者が変わると、速度の変化率が変わる場合がある。そこで、このように使用量データベース２２４が速度の変化率を格納することにより、自動車４０の操作者が変わった場合に、自動車監視装置２０は、その旨を所有者端末５０に通知することができる。
【００５２】
受信時刻フィールドは、自動車監視装置２０が走行距離を車載端末３０から受信した時刻を格納する。ここで受信時刻フィールドは、自動車監視装置２０が走行距離を車載端末３０から受信する毎に更新される。
【００５３】
図６は、金額データベース２２６のデータフォーマットの一例を示す。金額データベース２２６は、車載端末ＩＤフィールドと、保険タイプフィールドと、受け取り金額フィールドと、累積保険料フィールドとを含む。
【００５４】
車載端末ＩＤフィールドは、車載端末３０を識別する車載端末識別情報を格納する。保険タイプフィールドは、車載端末３０の所有者が希望した保険タイプを予め格納する。保険タイプは、自動車監視装置２０が保険料を算出する際に、用いる係数を特定する。例えば保険タイプ'Ａ'は、基本料金が高額で、走行距離に応じた追加料金が低額であるが、保険タイプ'Ｂ'は、基本料金が低額で、走行距離に応じた追加料金が高額であり、車載端末３０の所有者は、希望に応じていずれかを選択することができる。
【００５５】
受け取り金額フィールドは、自動車監視装置２０の管理者が車載端末３０の所有者から予め受け取った暫定保険料を示す情報を格納する。ここで車載端末３０の所有者は、自動車監視装置２０の管理者に対して、クレジットカードや現金等のいずれの支払方法で支払ってもよく、金額データベース２２６は、支払方法をさらに格納してもよい。
【００５６】
累積保険料フィールドは、保険料算出部２１４が算出した累積保険料を格納する。このように金額データベース２２６が暫定保険料と累積保険料を対応付けて格納することにより、金額判断部２１６は、暫定保険料と累積保険料との差額を算出することができる。自動車監視装置２０は、金額判断部２１６が算出した差額が所定金額より低額である場合に、その旨を示す通知情報を所有者端末５０に送信する。ここで金額判断部２１６は、車載端末３０の所有者の暫定保険料の金額、支払方法、過去の走行距離等に応じて、所定金額を変更してもよい。
【００５７】
図７は、ユーザデータベース２２０のデータフォーマットの一例を示す。ユーザデータベース２２０は、車載端末ＩＤフィールドと、所有者端末フィールドとを含む。車載端末ＩＤフィールドは、車載端末３０を識別する車載端末識別情報を格納する。所有者端末フィールドは、所有者端末５０のメールアドレスを格納する。
【００５８】
図８は、自動車監視装置２０の動作を示すフローチャートである。まず起動情報受信部２０３が、車載端末３０が起動した旨を示す起動情報を受信すると（Ｓ１００）、要求送信部２０４は、自動車４０の走行距離の送信要求を車載端末３０に送信する（Ｓ１０２）。次に時間判断部２０６は、要求送信部２０４が送信要求を送信してから所定時間が経過したか否かを判断する（Ｓ１０４）。要求送信部２０４が送信要求を送信してから所定時間が経過したと、時間判断部２０６が判断した場合に、受信判断部２０８は、要求送信部２０４が送信要求を送信してから、受信部２０２が走行距離を車載端末３０から受信したか否かを判断する（Ｓ１０６）。
【００５９】
要求送信部２０４が送信要求を送信してから、受信部２０２が走行距離を車載端末３０から受信していないと受信判断部２０８が判断した場合に、通知送信部２００は、その旨を示す通知情報を所有者端末５０に送信する（Ｓ１２４）。
【００６０】
一方Ｓ１０６において、要求送信部２０４が送信要求を送信してから、受信部２０２が走行距離を車載端末３０から受信していると受信判断部２０８が判断した場合に、使用量判断部２１２は、過去の走行距離を使用量データベース２２４から抽出する（Ｓ１１０）。ここで受信部２０２は、走行距離と、位置情報と、速度の変化率とを車載端末識別情報とともに受信する。
【００６１】
次に受信判断部２０８は、過去の走行距離と受信部２０２が受信した走行距離との差が所定距離以上であるか否かを判断する（Ｓ１１２）。過去の走行距離と受信部２０２が受信した走行距離との差が所定距離以上であると、受信判断部２０８が判断した場合に、所定期間判断部２１０は、過去の走行距離と受信部２０２が受信した走行距離との差が所定距離以上である期間が所定期間続いているか否かを判断する（Ｓ１１４）。過去の走行距離と受信部２０２が受信した走行距離との差が所定距離以上である期間が所定期間続いていると所定期間判断部２１０が判断した場合に、通知送信部２００は、その旨を示す通知情報を所有者端末５０に送信する（Ｓ１１５）。
【００６２】
次に保険料算出部２１４は、受信部２０２が受信した車載端末識別情報に対応付けて格納されている保険タイプを金額データベース２２６から抽出する。次に保険料算出部２１４は、受信部２０２が受信した走行距離と、位置情報と、速度の変化率と、抽出した保険タイプとを用いて保険料を算出し、金額データベース２２６に格納されている累積保険料に加算して新たな累積保険料を算出する（Ｓ１１６）。
【００６３】
これにより保険料算出部２１４は、例えば走行距離が大きくなると保険料をより高くすることができる。また保険料算出部２１４は、例えば位置情報により特定される位置が交通事故多発地域である場合には、保険料を高くすることができる。また保険料算出部２１４は、例えば速度の変化率が高い場合には、運転が危険であると判断し、保険料を高くすることができる。
【００６４】
また他の例としては、保険料算出部２１４は、自動車４０の操作者がシートベルトの使用状況、ブレーキ使用状況、操作時刻、操作時間、運転速度、交通標識、ハザードライトやブレーキライト等のライトの点灯の有無、携帯電話使用の有無、自動車４０の車種、乗車人数、免許証の種別、天候等を示す情報を車載端末３０から受信し、これらに基づいて保険料を算出してもよい。この場合車載端末３０は、シートベルトの使用状況、ブレーキ使用状況、操作時刻、操作時間、運転速度、交通標識、携帯電話使用の有無、乗車人数等を示す情報を、スピード計測器や予め設置されたセンサ等を用いて取得し、自動車監視装置２０に随時送信する。
【００６５】
次に金額判断部２１６は、金額データベース２２６に格納されている暫定保険料と、Ｓ１１６で新たに算出した累積保険料との差額が、所定金額より低額であるか否かを判断する（Ｓ１１８）。金額データベース２２６に格納されている暫定保険料と、Ｓ１１６で新たに算出した累積保険料との差額が、所定金額より低額であると金額判断部２１６が判断した場合に、通知送信部２００は、その旨を示す通知情報を所有者端末５０に送信する（Ｓ１２０）。
【００６６】
Ｓ１１２において、過去の走行距離と受信部２０２が受信した走行距離との差が所定距離以上ではないと、受信判断部２０８が判断した場合、及びＳ１１４において、過去の走行距離と受信部２０２が受信した走行距離との差が所定距離以上である期間が所定期間続いていないと所定期間判断部２１０が判断した場合に、自動車監視装置２０の動作は、Ｓ１１５にジャンプする。
【００６７】
要求送信部２０４は、Ｓ１０２において自動車４０の走行距離の送信要求を車載端末３０に送信してから、所定時間が経過してから所定時間が経過した場合に、Ｓ１０２にジャンプする。このように自動車監視装置２０は、所定時間毎にＳ１０２からＳ１２０の動作を繰り返す。
【００６８】
図９は、車載端末３０の動作を示すフローチャートである。まず免許証情報取得部３２２は、免許証情報を取得する（Ｓ２００）。次に免許証情報判断部３２４は、免許証情報格納部３３０に格納されている免許証情報と、免許証情報取得部３２２が取得した免許証情報とが一致するか否かを判断する（Ｓ２０２）。免許証情報格納部３３０に格納されている免許証情報と、免許証情報取得部３２２が取得した免許証情報とが一致しないと免許証情報判断部３２４が判断した場合に、起動停止部３２８は、自動車４０の起動を停止する（Ｓ２２０）。
【００６９】
一方Ｓ２０２において免許証情報格納部３３０に格納されている免許証情報と、免許証情報取得部３２２が取得した免許証情報とが一致すると免許証情報判断部３２４が判断した場合に、車載端末起動部３２６は、車載端末３０を起動する（Ｓ２０４）。
【００７０】
次に取付判断部３１８は、車載端末３０が自動車監視装置２０に取り付けられているか否かを判断する（Ｓ２０６）。車載端末３０が自動車監視装置２０に取り付けられていないと取付判断部３１８が判断した場合に、取付通知情報送信部３２０は、その旨を示す取付情報を自動車監視装置２０に送信する（Ｓ２２２）。
【００７１】
一方Ｓ２０６において、車載端末３０が自動車監視装置２０に取り付けられていると取付判断部３１８が判断した場合に、要求受信部３００は、走行距離の送信要求を受信すると（Ｓ２０８）、使用量取得部３０４は、走行距離を算出する（Ｓ２１０）。次に通信判断部３１０は、ネットワーク１０の通信可能領域に車載端末３０があるか否かを判断する（Ｓ２１２）。ネットワーク１０の通信可能領域に車載端末３０がないと通信判断部３１０が判断した場合に、使用量積算部３０８は、走行距離を積算し、Ｓ２１６にジャンプする（Ｓ２２４）。
【００７２】
一方Ｓ２１２においてネットワーク１０の通信可能領域に車載端末３０があると通信判断部３１０が判断した場合に、走行距離、位置情報、及び速度の変化率を自動車監視装置２０に送信する（Ｓ２１４）。
【００７３】
車載端末３０は、自動車４０の起動が停止するまでＳ２０６からＳ２１４の動作を繰り返す（Ｓ２１６）。自動車４０の起動が停止すると、車載端末３０の起動を停止する（Ｓ２１８）。
【００７４】
このように車載端末３０は、走行距離の送信要求を受信したことを条件として、走行距離を自動車監視装置２０に自動的に送信するので、随時正確に走行距離を送信することができる。
【００７５】
ここで本実施の形態に係る使用量取得部３０４は、自動車４０の走行距離を取得しているが、これに代えて他の例としては、走行時間を取得してもよい。この場合、使用量取得部３０４は、自動車４０のスピード計測器が所定値以上のスピードを示している時間を測定してもよいし、自動車４０が起動している時間を計測してもよい。
【００７６】
図１０は、自動車監視装置２０のハードウェア構成を示すブロック図である。自動車監視装置２０は、ＣＰＵ７００と、ＲＯＭ７０２と、ＲＡＭ７０４と、通信インターフェース７０６とを備える。ＣＰＵ７００は、ＲＯＭ７０２及びＲＡＭ７０４に格納されたプログラムに基づいて動作する。通信インターフェース７０６は、ネットワーク１０を介して車載端末３０及び所有者端末５０と通信する。格納装置の一例としてのハードディスクドライブ７１０は、設定情報及びＣＰＵ７００が動作するプログラムを格納する。
【００７７】
フレキシブルディスクドライブ７１２はフレキシブルディスク７１４からデータまたはプログラムを読み取りＣＰＵ７００に提供する。ＣＤ−ＲＯＭドライブ７１６はＣＤ−ＲＯＭ７１８からデータまたはプログラムを読み取りＣＰＵ７００に提供する。通信インターフェース７０６は、ネットワーク１０に接続してデータを送受信する。
【００７８】
ＣＰＵ７００が実行するソフトウエアは、フレキシブルディスク７１４またはＣＤ−ＲＯＭ７１８等の記録媒体に格納されて利用者に提供される。記録媒体に格納されたソフトウエアは圧縮されていても非圧縮であっても良い。ソフトウエアは記録媒体からハードディスクドライブ７１０にインストールされ、ＲＡＭ７０４に読み出されてＣＰＵ７００により実行される。
【００７９】
記録媒体に格納されて提供されるソフトウエア、即ちハードディスクドライブ７１０にインストールされるソフトウエアは、機能構成として、起動情報受信モジュール、取付情報受信モジュール、通知送信モジュール、受信モジュール、要求送信モジュール、時間判断モジュール、受信判断モジュール、所定期間判断モジュール、使用量判断モジュール、保険料算出モジュール、金額判断モジュール、車載端末管理モジュール、使用量管理モジュール、及び金額管理モジュールを備える。これらの各モジュールがコンピュータに働きかけて、ＣＰＵ７００に行わせる処理は、それぞれ本実施の形態における自動車監視装置２０における、対応する部材の機能及び動作と同一であるから説明を省略する。
【００８０】
図１０に示した、記録媒体の一例としてのフレキシブルディスク７１４またはＣＤ−ＲＯＭ７１８には、本出願で説明する全ての実施形態における自動車監視装置２０の動作の一部または全ての機能を格納することができる。また図２における自動車監視装置２０の車載端末データベース２２２、使用量データベース２２４、ユーザデータベース２２０、及び金額データベース２２６に格納されるデータは、図１０においてＲＯＭ７０２、ＲＡＭ７０４、ハードディスクドライブ７１０、フレキシブルディスク７１４、またはＣＤ−ＲＯＭ７１８に格納される。
【００８１】
これらのプログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【００８２】
以上に示したプログラムまたはモジュールは、外部の記録媒体に格納されてもよい。記録媒体としては、フレキシブルディスク、ＣＤ−ＲＯＭの他にも、ＤＶＤやＰＤ等の光学記録媒体、ＭＤ等の光磁気記録媒体、テープ媒体、磁気記録媒体、ＩＣカードやミニチュアーカードなどの半導体メモリ等を用いることができる。又、専用通信ネットワークやインターネットに接続されたサーバシステムに設けたハードディスクまたはＲＡＭ等の格納装置を記録媒体として使用し、通信網を介してプログラムを車載端末３０に提供してもよい。
【００８３】
図１１は、車載端末３０のハードウェア構成を示すブロック図である。車載端末３０は、ＣＰＵ８００と、ＲＯＭ８０２と、ＲＡＭ８０４と、通信インターフェース８０６とを備える。ＣＰＵ８００は、ＲＯＭ８０２及びＲＡＭ８０４に格納されたプログラムに基づいて動作する。通信インターフェース８０６は、ネットワーク１０を介して自動車監視装置２０と通信する。格納装置の一例としてのハードディスクドライブ８１０は、設定情報及びＣＰＵ８００が動作するプログラムを格納する。
【００８４】
フレキシブルディスクドライブ８１２はフレキシブルディスク８１４からデータまたはプログラムを読み取りＣＰＵ８００に提供する。ＣＤ−ＲＯＭドライブ８１６はＣＤ−ＲＯＭ８１８からデータまたはプログラムを読み取りＣＰＵ８００に提供する。通信インターフェース８０６は、ネットワーク１０に接続してデータを送受信する。
【００８５】
ＣＰＵ８００が実行するソフトウエアは、フレキシブルディスク８１４またはＣＤ−ＲＯＭ８１８等の記録媒体に格納されて利用者に提供される。記録媒体に格納されたソフトウエアは圧縮されていても非圧縮であっても良い。ソフトウエアは記録媒体からハードディスクドライブ８１０にインストールされ、ＲＡＭ８０４に読み出されてＣＰＵ８００により実行される。
【００８６】
記録媒体に格納されて提供されるソフトウエア、即ちハードディスクドライブ８１０にインストールされるソフトウエアは、機能構成として、要求受信モジュール、ＧＰＳ情報取得モジュール、使用量取得モジュール、速度取得モジュール、使用量積算モジュール、通信判断モジュール、使用量送信モジュール、変化率送信モジュール、変化率算出モジュール、取付通知情報送信モジュール、取付判断モジュール、免許証情報取得モジュール、免許証情報判断モジュール、車載端末起動モジュール、起動停止モジュール、及び免許証情報管理モジュールを備える。これらの各モジュールがコンピュータに働きかけて、ＣＰＵ８００に行わせる処理は、それぞれ本実施の形態における車載端末３０における、対応する部材の機能及び動作と同一であるから説明を省略する。
【００８７】
図１１に示した、記録媒体の一例としてのフレキシブルディスク８１４またはＣＤ−ＲＯＭ８１８には、本出願で説明する全ての実施形態における車載端末３０の動作の一部または全ての機能を格納することができる。また図３における車載端末３０の免許証情報格納部３３０に格納されるデータは、図１１においてＲＯＭ８０２、ＲＡＭ８０４、ハードディスクドライブ８１０、フレキシブルディスク８１４、またはＣＤ−ＲＯＭ８１８に格納される。
【００８８】
これらのプログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【００８９】
以上に示したプログラムまたはモジュールは、外部の記録媒体に格納されてもよい。記録媒体としては、フレキシブルディスク、ＣＤ−ＲＯＭの他にも、ＤＶＤやＰＤ等の光学記録媒体、ＭＤ等の光磁気記録媒体、テープ媒体、磁気記録媒体、ＩＣカードやミニチュアーカードなどの半導体メモリ等を用いることができる。又、専用通信ネットワークやインターネットに接続されたサーバシステムに設けたハードディスクまたはＲＡＭ等の格納装置を記録媒体として使用し、通信網を介してプログラムを車載端末３０に提供してもよい。
【００９０】
次に本実施の形態に係る第１の変形例を説明する。本実施の形態に係る自動車監視装置２０は、車載端末３０から走行距離を受信しているが、これに変えて第１の変形例に係る自動車監視装置２０は、車載端末３０の位置を示すＧＰＳ情報を車載端末３０から受信してもよい。この場合自動車監視装置２０は、受信したＧＰＳ情報を用いて走行距離を算出する。
【００９１】
次に本実施の形態に係る第２の変形例を説明する。本実施の形態に係る車載端末３０は、取得した免許証情報を、免許証情報格納部３３０に格納している免許証情報と一致するか否かを判断しているが、これに代えて第２の変形例に係る車載端末３０は、取得した免許証情報を自動車監視装置２０に送信してもよい。このとき自動車監視装置２０は、予め免許証情報を格納しており、受信した免許証情報と、格納している免許証情報とが一致するか否かを判断する。
【００９２】
次に第３の変形例を説明する。本実施の形態に係る車載端末３０は、自動車４０のスピード計測器から速度を取得し、取得した速度を用いて走行距離を算出しているが、これに代えて第３の変形例に係る車載端末３０は、ＧＰＳ情報を取得し、取得したＧＰＳ情報を用いて走行距離を算出してもよい。
【００９３】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【図面の簡単な説明】
【００９４】
【図１】本実施の形態に係る自動車監視システム全体の概略を示す図である。
【図２】自動車監視装置２０の機能構成を示すブロック図である。
【図３】車載端末３０の機能構成を示すブロック図である。
【図４】車載端末データベース２２２のデータフォーマットの一例を示す図である。
【図５】使用量データベース２２４のデータフォーマットの一例を示す図である。
【図６】金額データベース２２６のデータフォーマットの一例を示す図である。
【図７】ユーザデータベース２２０のデータフォーマットの一例を示す図である。
【図８】自動車監視装置２０の動作を示すフローチャートである。
【図９】車載端末３０の動作を示すフローチャートである。
【図１０】自動車監視装置２０のハードウェア構成を示すブロック図である。
【図１１】車載端末３０のハードウェア構成を示すブロック図である。
【符号の説明】
【００９５】
１０  ネットワーク
２０  自動車監視装置
３０  車載端末
４０  自動車
５０  所有者端末
２００  通知送信部
２０２  受信部
２０３  起動情報受信部
２０４  要求送信部
２０５  取付情報受信部
２０６  時間判断部
２０８  受信判断部
２１０  所定期間判断部
２１２  使用量判断部
２１４  保険料算出部
２１６  金額判断部
２２０  ユーザデータベース
２２２  車載端末データベース
２２４  使用量データベース
２２６  金額データベース
３００  要求受信部
３０２  ＧＰＳ情報取得部
３０４  使用量取得部
３０６  速度取得部
３０８  使用量積算部
３１０  通信判断部
３１２  使用量送信部
３１４  変化率算出部
３１６  変化率送信部
３１８  取付判断部
３２０  取付通知情報送信部
３２２  免許証情報取得部
３２４  免許証情報判断部
３２６  車載端末起動部
３２８  起動停止部
３３０  免許証情報格納部
【図１】
2005149526.tif 000003
【図２】
2005149526.tif 000004
【図３】
2005149526.tif 000005
【図４】
2005149526.tif 000006
【図５】
2005149526.tif 000007
【図６】
2005149526.tif 000008
【図７】
2005149526.tif 000009
【図８】
2005149526.tif 000010
【図９】
2005149526.tif 000011
【図１０】
2005149526.tif 000012
【図１１】
2005149526.tif 000013